(57)【特許請求の範囲】
【請求項１】
離間させて配置した複数対のツイストペアを、一括シースで一括被覆したことを特徴とするＬＡＮ用無遮蔽ツイストペアケーブル。
【請求項２】
対向配置されたツイストペアの離間距離が１．０ｍｍ以上、隣接配置されたツイストペアの離間距離が０．３ｍｍ以上である請求項１に記載のＬＡＮ用無遮蔽ツイストペアケーブル。
【請求項３】
上記一括シースが、ＰＶＣ又はポリエチレンからなる請求項１または２に記載のＬＡＮ用無遮蔽ツイストペアケーブル。
【発明の詳細な説明】
【０００１】
【発明の属する技術分野】
本発明は、ＬＡＮ用無遮蔽ツイストペアケーブルに係り、特に、超高速ＬＡＮ用のエンハンストカテゴリー５（カテゴリー６）無遮蔽ツイストペアケーブルに関するものである。
【０００２】
【従来の技術】
従来の高速ＬＡＮ用無遮蔽ツイストペアケーブルの横断面図を図８に示す。
【０００３】
図８（ａ）に示すように、従来の高速ＬＡＮ用無遮蔽ツイストペアケーブル７０は、複数対（図８中では４対）のツイストペア７１ａ，７１ｂ，７１ｃ，７１ｄをそれぞれ異なるピッチで撚り合せると共に、その４対のツイストペア７１を集合させてツイストペアコア７２を形成し、そのツイストペアコア７２の外周にＰＶＣ等のシース７３を被覆したものである。
【０００４】
しかし、周波数１００ＭＨｚまでの伝送特性を満足するカテゴリー５無遮蔽ツイストペアケーブルである高速ＬＡＮ用無遮蔽ツイストペアケーブル７０においては、各ツイストペア７１を集合させる際に、各対（第１対、第２対、第３対、第４対）のツイストペア７１の張力バランスが不均等になるおそれがある。また、各ツイストペア７１を集合させる際又はシース７３を被覆する際のケーブル７０の曲げによって、図８（ｂ）に示すように、ツイストペアコア７２がつぶれてケーブル７０の横断面形状が変形する。これによって、各ツイストペア７１の対間距離が短くなってしまい（例えば、第１対７１ａと第２対７１ｂ又は第３対７１ｃと第４対７１ｄが接する）、ツイストペア７１の配列に乱れが生じてしまう。
【０００５】
その結果、ＬＡＮ用ツイストペアケーブルにおいて重要な近端漏話減衰量のパワーサム（多重漏話）が悪化してしまう。これらの原因により、図８（ａ）のような構造では、周波数１００ＭＨｚを超える伝送特性を満足するエンハンストカテゴリー５（カテゴリー６）無遮蔽ツイストペアケーブルを得ることは難しい。
【０００６】
従来の超高速ＬＡＮ用無遮蔽ツイストペアケーブルの横断面図を図９、図１０に示す。
【０００７】
また、図９に示すように、従来の超高速ＬＡＮ用無遮蔽ツイストペアケーブル８０は、複数対（図９中では４対）のツイストペア８１ａ，８１ｂ，８１ｃ，８１ｄをそれぞれ異なるピッチで、かつ、高速ＬＡＮ用無遮蔽ツイストペアケーブル７０のツイストペア７１よりも短いピッチで撚り合せると共に、その４対のツイストペア８１の中心に介在（例えば、ポリエチレンチューブ等）８４を配置し、各ツイストペア８１および介在８４を集合させてツイストペアコア８２を形成し、そのツイストペアコア８２の外周にＰＶＣ等のシース８３を被覆したものである。
【０００８】
この超高速ＬＡＮ用無遮蔽ツイストペアケーブル８０は、エンハンストカテゴリー５無遮蔽ツイストペアケーブルであり、ツイストペアコア８２の中心に介在８４を配置しているため、各ツイストペア８１を集合させる際又はシース８３を被覆する際のケーブル８０の曲げによっても、ツイストペアコア８２がつぶれてケーブル８０の横断面形状が変形するということはない。このため、各ツイストペア８１の対間距離を一定に保つことができ、ツイストペア８１の配列に乱れが生じることはない。しかし、隣接するツイストペア８１の対間距離（第１対８１ａと第３対８１ｃ、第３対８１ｃと第２対８１ｂ、第２対８１ｂと第４対８１ｄ、第４対８１ｄと第１対８１ａの距離）はケーブル７０と同じであるため、ツイストペア８１のピッチを短くした分の伝送特性の向上しか得ることができない。
【０００９】
そこで、更なる伝送特性の向上を図るべく、図１０（ａ）に示すように、ツイストペアコア９２の中心に配置する介在９４の径を、ケーブル８０の介在８４の径よりも大きくすることで、隣接するツイストペア９１の対間距離をケーブル７０およびケーブル８０における対間距離よりも大きくした（隣接するツイストペア９１を互いに離した）超高速ＬＡＮ用無遮蔽ツイストペアケーブル９０が提案されている。
【００１０】
しかし、このケーブル９０においては、図１０（ｂ）に示すように、各ツイストペア９１を集合させる際又はシース９３を被覆する際のケーブル９０の曲げによって、ツイストペア９１の配列に再び乱れが生じてしまい、その結果、近端漏話減衰量のパワーサム（多重漏話）が悪化してしまう。したがって、図１０（ｃ）に示すように、近端漏話減衰量のパワーサム（多重漏話）の悪化を防ぐべく、隣接するツイストペア９１間のそれぞれに、隣接対間介在（例えば、細いひも等）９５を数本〜数十本配置することによって、超高速ＬＡＮ用無遮蔽ツイストペアケーブル１００を得ていた。
【００１１】
【発明が解決しようとする課題】
しかしながら、この超高速ＬＡＮ用無遮蔽ツイストペアケーブル１００を製造する場合、隣接対間介在９５を隣接するツイストペア９１間のそれぞれに配置するという工程を必要とするため、製造工程の増加を招くと共に、製造時における作業性・操業性が低下し、延いては、製造コストが上昇してしまうという問題があった。
【００１２】
そこで本発明は、上記課題を解決し、製造工程が簡素であると共に製造が容易であり、かつ、安価で伝送特性に優れた超高速ＬＡＮ用の無遮蔽ツイストペアケーブルを提供することにある。
【００１３】
【課題を解決するための手段】
上記課題を解決するために請求項１に係る発明は、離間させて配置した複数対のツイストペアを、一括シースで一括被覆したＬＡＮ用無遮蔽ツイストペアケーブルである。
【００１４】
請求項２に係る発明は、請求項１に係る発明において対向配置されたツイストペアの離間距離が１．０ｍｍ以上、隣接配置されたツイストペアの離間距離が０．３ｍｍ以上であるＬＡＮ用無遮蔽ツイストペアケーブルである。
【００１５】
請求項３に係る発明は、請求項１もしくは２に係る発明において上記一括シースが、ＰＶＣ又はポリエチレンからなるＬＡＮ用無遮蔽ツイストペアケーブルである。
【００１６】
以上の構成によれば、隣接するツイストペアを互いに離間させるための構成・構造が簡単であるため、製造工程が簡素であると共に製造が容易であり、かつ、安価で伝送特性に優れた超高速ＬＡＮ用の無遮蔽ツイストペアケーブルを得ることができる。
【００１７】
【発明の実施の形態】
以下、本発明の実施の形態を説明する。
【００１８】
本発明のＬＡＮ用無遮蔽ツイストペアケーブルの横断面図を図１に示す。
【００１９】
図１に示すように、本発明のＬＡＮ用無遮蔽ツイストペアケーブル１０は、複数対（図１中では４対）のツイストペア１１ａ，１１ｂ，１１ｃ，１１ｄをそれぞれ異なるピッチで撚り合せると共に、その４対のツイストペア１１の中心に、各ツイストペア１１をそれぞれ離間させると共に、その動きを拘束するための異形介在１４を配置し、各ツイストペア１１および異形介在１４を集合させてツイストペアコア１２を形成し、そのツイストペアコア１２の外周にシース１３を被覆したものである。
【００２０】
ここで、異形介在１４を介して配置された対向ツイストペア１１（第１対１１ａと第２対１１ｂおよび第３対１１ｃと第４対１１ｄ）の離間距離が１．０ｍｍ以上、隣接ツイストペア１１（第１対１１ａと第３対１１ｃ、第３対１１ｃと第２対１１ｂ、第２対１１ｂと第４対１１ｄ、第４対１１ｄと第１対１１ａ）の離間距離が０．３ｍｍ以上となるように、異形介在１４のサイズが決定される。
【００２１】
異形介在１４の材質としては、例えば、ポリエチレン、ＰＶＣ等が挙げられる。また、その横断面形状は丸形以外であれば、図１（ａ）に示した星芒形（アストロイド）、図１（ｂ）に示した十字形などのように、特に限定するものではない。
【００２２】
シース１３の材質としては、例えば、ＰＶＣ等が挙げられる。
【００２３】
尚、ツイストペア１１の対数は４対に限定するものではなく、ＬＡＮ用無遮蔽ツイストペアケーブルに要求されるサイズおよび特性などに応じて、適宜、選択されるものである。
【００２４】
次に、本発明の作用を説明する。
【００２５】
本発明のＬＡＮ用無遮蔽ツイストペアケーブル１０においては、ツイストペアコア１２の中心に異形介在１４を配置することで、隣接するツイストペア１１（第１対１１ａと第３対１１ｃ、第３対１１ｃと第２対１１ｂ、第２対１１ｂと第４対１１ｄ、第４対１１ｄと第１対１１ａ）が互いに大きく離れるため、図１０（ｃ）に示したケーブル１００と比較して伝送特性が更に良好となる。また、ツイストペアコア１２の中心に異形介在１４を配置することによって各ツイストペア１１の動きは拘束され、各ツイストペア１１を集合させる際又はシース１３を被覆する際にケーブル１０を曲げたとしても、ツイストペア１１の配列に乱れが生じるおそれがなく、ケーブル１０の近端漏話減衰量のパワーサム（多重漏話）が悪化するおそれがなくなる。
【００２６】
すなわち、図１０（ｃ）に示したケーブル１００よりも伝送特性に優れたエンハンストカテゴリー５無遮蔽ツイストペアケーブル（超高速ＬＡＮ用無遮蔽ツイストペアケーブル）を得ることができる。
【００２７】
また、異形介在１４は一体のものであるため、各ツイストペア１１を集合させてツイストペアコア１２を形成する際に、各ツイストペア１１の中心に配置するだけでよく、図１０（ｃ）に示したケーブル１００のように、隣接するツイストペア１１（第１対１１ａと第３対１１ｃ、第３対１１ｃと第２対１１ｂ、第２対１１ｂと第４対１１ｄ、第４対１１ｄと第１対１１ａ）間のそれぞれに配置する必要はない。
【００２８】
すなわち、図１０（ｃ）に示したケーブル１００と比較して、製造工程が簡素となると共に、製造が容易となり、安価にＬＡＮ用無遮蔽ツイストペアケーブルを得ることができる。
【００２９】
次に、本発明の他の実施の形態を説明する。
【００３０】
第１の実施の形態のＬＡＮ用無遮蔽ツイストペアケーブルの横断面図を図２に示す。
【００３１】
図２に示すように、本実施の形態のＬＡＮ用無遮蔽ツイストペアケーブル２０は、ロッド状のスペーサ２４の外周部に、長手方向に沿って複数個（図２中では４個）のスロット２６を形成し、その各スロット２６内にツイストペア２１を収容配置し、スペーサ２４と複数対（図２中では４対）のツイストペア２１ａ，２１ｂ，２１ｃ，２１ｄからなるツイストペアコア２２の外周にシース２３を被覆したものである。
【００３２】
ここで、スペーサ２４のスロット２６内に収容配置された対向ツイストペア２１（第１対２１ａと第２対２１ｂおよび第３対２１ｃと第４対２１ｄ）の離間距離が１．０ｍｍ以上、隣接ツイストペア２１（第１対２１ａと第３対２１ｃ、第３対２１ｃと第２対２１ｂ、第２対２１ｂと第４対２１ｄ、第４対２１ｄと第１対２１ａ）の離間距離が０．３ｍｍ以上となるように、スペーサ２４のサイズおよびスロット２６の深さが決定される。
【００３３】
スペーサ２４の材質としては、例えば、ポリエチレン、ＰＶＣ等が挙げられる。また、その横断面形状は図２に示した丸形に特に限定するものではなく、ツイストペア２１の対数に対応した多角形であってもよい。
【００３４】
スロット２６の形状としては、ツイストペア２１を収容できる形状であれば特に限定するものではなく、スロット２６の開口部がオーバーハングしていてもよい。
【００３５】
シース２３の材質としては、例えば、ＰＶＣ等が挙げられる。
【００３６】
本実施の形態のＬＡＮ用無遮蔽ツイストペアケーブルにおいても、本発明と同様の作用効果を奏することは言うまでもない。
【００３７】
第２の実施の形態のＬＡＮ用無遮蔽ツイストペアケーブルの横断面図を図３に示す。
【００３８】
図３に示すように、本実施の形態のＬＡＮ用無遮蔽ツイストペアケーブル３０は、複数対（図３中では４対）のツイストペア３１ａ，３１ｂ，３１ｃ，３１ｄをそれぞれ異なるピッチで撚り合せると共に、各ツイストペア３１のそれぞれの外周を被覆スペーサ３４で覆って被覆ツイストペア３７を形成し、各被覆ツイストペア３７を束ねてなるツイストペアコア３２の外周にシース３３を被覆したものである。
【００３９】
ここで、ツイストペアコア３２における対向ツイストペア３１（第１対３１ａと第２対３１ｂおよび第３対３１ｃと第４対３１ｄ）の離間距離が１．０ｍｍ以上、隣接ツイストペア３１（第１対３１ａと第３対３１ｃ、第３対３１ｃと第２対３１ｂ、第２対３１ｂと第４対３１ｄ、第４対３１ｄと第１対３１ａ）の離間距離が０．３ｍｍ以上となるように、ツイストペア径および被覆スペーサ３４の被覆厚が決定される。よって、被覆スペーサ３４の被覆厚は少なくとも０．１５ｍｍ以上となる。
【００４０】
被覆スペーサ３４の被覆手段としては、シースの被覆、テープの巻付けなどが挙げられる。また、被覆スペーサ３４の材質としては、例えば、ポリエチレン、ＰＶＣ等が挙げられる。
【００４１】
シース３３の材質としては、例えば、ＰＶＣ等が挙げられる。
【００４２】
本実施の形態のＬＡＮ用無遮蔽ツイストペアケーブルにおいても、本発明と同様の作用効果を奏することは言うまでもない。
【００４３】
第３の実施の形態のＬＡＮ用無遮蔽ツイストペアケーブルの横断面図を図４に示す。
【００４４】
図４に示すように、本実施の形態のＬＡＮ用無遮蔽ツイストペアケーブル４０は、離間させて配置した複数対（図４中では４対）のツイストペア４１ａ，４１ｂ，４１ｃ，４１ｄを、一括シース４３で一括被覆したものである。
【００４５】
ここで、ケーブル４０における対向ツイストペア４１（第１対４１ａと第２対４１ｂおよび第３対４１ｃと第４対４１ｄ）の離間距離が１．０ｍｍ以上、隣接ツイストペア４１（第１対４１ａと第３対４１ｃ、第３対４１ｃと第２対４１ｂ、第２対４１ｂと第４対４１ｄ、第４対４１ｄと第１対４１ａ）の離間距離が０．３ｍｍ以上となるように、各ツイストペア４１を離間させて配置する。
【００４６】
一括シース４３の材質としては、例えば、ポリエチレン、ＰＶＣ等が挙げられる。
【００４７】
本実施の形態のＬＡＮ用無遮蔽ツイストペアケーブルにおいても、本発明と同様の作用効果を奏することは言うまでもない。また、本発明および第１、第２の実施の形態における異形介在又はスペーサ或いは被覆スペーサという構成が不要となるため、製造工程が更に簡素になり、更に安価な超高速ＬＡＮ用無遮蔽ツイストペアケーブルを得ることができる。
【００４８】
【実施例】
本発明のＬＡＮ用無遮蔽ツイストペアケーブルの近端漏話減衰量の多重漏話特性を図５に示す。ここで、図５の横軸は周波数（ｆ（ＭＨｚ））を示し、縦軸は近端漏話減衰量のパワーサム（ＮＥＸＴ・ＰＳ（ｄＢ））を示している。尚、図５中の斜め線は周波数全帯域でのＮＥＸＴ・ＰＳを示しており、周波数１ＭＨｚの時のＮＥＸＴ・ＰＳを７７ｄＢとした場合、ＮＥＸＴ・ＰＳは以下の式で表される。
【００４９】
ＮＥＸＴ・ＰＳ（ｆ）＝７７−１５×ｌｏｇ１０（ｆ）
図５に示すように、本発明のＬＡＮ用無遮蔽ツイストペアケーブルにおいては、１００ＭＨｚにおける近端漏話減衰量の多重漏話（パワーサム）は４７ｄＢを確保しており、カテゴリー５ツイストペアケーブルの規格値（３２ｄＢ：ａｔ１００ＭＨｚ）に対して、周波数全帯域（１〜３００ＭＨｚ）で最低でもプラス１５ｄＢ以上のマージンを確保している。
【００５０】
本発明のＬＡＮ用無遮蔽ツイストペアケーブルの伝送損失特性を図６に示す。図６（ａ）は第１対のツイストペアの伝送損失特性を示し、図６（ｂ）は第２対のツイストペアの伝送損失特性を示し、図６（ｃ）は第３対のツイストペアの伝送損失特性を示し、図６（ｄ）は第４対のツイストペアの伝送損失特性を示している。ここで、図６（ａ）〜図６（ｄ）の横軸は周波数（ＭＨｚ）を示し、縦軸は１００ｍ当りの伝送損失（ｄＢ／１００ｍ）を示している。
【００５１】
また、図６に示すように、本発明のＬＡＮ用無遮蔽ツイストペアケーブルにおいては、１００ＭＨｚにおける伝送損失が２２．０ｄＢ／１００ｍを確保している。
【００５２】
本発明のＬＡＮ用無遮蔽ツイストペアケーブルの遠端漏話減衰量の多重漏話特性を図７に示す。ここで、図７の横軸は周波数（ｆ（ＭＨｚ））を示し、縦軸は遠端漏話減衰量のパワーサム（ＦＥＸＴ・ＰＳ（ｄＢ））を示している。尚、図７中の上側の斜め線は周波数全帯域でのＦＥＸＴ・ＰＳを、下側の斜め線はカテゴリー５ツイストペアケーブルの規格値を示しており、周波数１ＭＨｚの時のＦＥＸＴ・ＰＳを７７ｄＢとした場合、ＦＥＸＴ・ＰＳは以下の式で表される。
【００５３】
ＦＥＸＴ・ＰＳ（ｆ）＝７７−２５×ｌｏｇ１０（ｆ）
図７に示すように、本発明のＬＡＮ用無遮蔽ツイストペアケーブルにおいては、１００ＭＨｚにおける遠端漏話減衰量の多重漏話（パワーサム）は２７ｄＢを確保しており、カテゴリー５ツイストペアケーブルの規格値（１６ｄＢ：ａｔ１００ＭＨｚ）に対して、周波数全帯域（１〜３００ＭＨｚ）で最低でもプラス１０ｄＢ以上のマージンを確保している。
【００５４】
【発明の効果】
以上要するに本発明によれば、次のような優れた効果を発揮する。
【００５５】
（１）  ツイストペアコアの中心に異形介在を配置することで、製造工程が簡素となると共に製造が容易となり、かつ、安価で伝送特性に優れた超高速ＬＡＮ用の無遮蔽ツイストペアケーブルを得ることができる。
【００５６】
（２）  ツイストペアコアの中心にスペーサを配置することで、製造工程が簡素となると共に製造が容易となり、かつ、安価で伝送特性に優れた超高速ＬＡＮ用の無遮蔽ツイストペアケーブルを得ることができる。
【００５７】
（３）  被覆スペーサで覆われたツイストペアからなるツイストペアコアを用いることで、製造工程が簡素となると共に製造が容易となり、かつ、安価で伝送特性に優れた超高速ＬＡＮ用の無遮蔽ツイストペアケーブルを得ることができる。
【００５８】
（４）  離間して配置したツイストペアコアを一括シースで一括被覆することで、製造工程が簡素となると共に製造が容易となり、かつ、安価で伝送特性に優れた超高速ＬＡＮ用の無遮蔽ツイストペアケーブルを得ることができる。
【図面の簡単な説明】
【図１】本発明のＬＡＮ用無遮蔽ツイストペアケーブルの横断面図である。
【図２】第１の実施の形態のＬＡＮ用無遮蔽ツイストペアケーブルの横断面図である。
【図３】第２の実施の形態のＬＡＮ用無遮蔽ツイストペアケーブルの横断面図である。
【図４】第３の実施の形態のＬＡＮ用無遮蔽ツイストペアケーブルの横断面図である。
【図５】本発明のＬＡＮ用無遮蔽ツイストペアケーブルの近端漏話減衰量の多重漏話特性を示す図である。
【図６】本発明のＬＡＮ用無遮蔽ツイストペアケーブルの伝送損失特性を示す図である。
【図７】本発明のＬＡＮ用無遮蔽ツイストペアケーブルの遠端漏話減衰量の多重漏話特性を示す図である。
【図８】従来の高速ＬＡＮ用無遮蔽ツイストペアケーブルの横断面図である。
【図９】従来の超高速ＬＡＮ用無遮蔽ツイストペアケーブルの横断面図である。
【図１０】従来の超高速ＬＡＮ用無遮蔽ツイストペアケーブルの横断面図である。
【符号の説明】
１１，２１，３１，４１  ツイストペア
１２，２２，３２  ツイストペアコア
１３，２３，３３  シース
１４  異形介在
２４  スペーサ
２６  スロット
３４  被覆スペーサ
３７  被覆ツイストペア
４３  一括シース
【図１】
0003546690.tif 000002
【図２】
0003546690.tif 000003
【図３】
0003546690.tif 000004
【図４】
0003546690.tif 000005
【図５】
0003546690.tif 000006
【図６】
0003546690.tif 000007
【図７】
0003546690.tif 000008
【図８】
0003546690.tif 000009
【図９】
0003546690.tif 000010
【図１０】
0003546690.tif 000011